(57)【要約】【課題】感光性記録媒体に記録した内容を所有者などが簡単に把握できる一方で、第３者は簡単に把握できないようにしたカートリッジを提供する。【解決手段】ディスク状のホログラム記録媒体３と、ホログラム記録媒体３を回転自在に収容すると共に、ホログラム記録媒体３の一部を外部に露呈させる開口２１ａ、２１ｂを有するカートリッジ本体２Ａと、遮光性材料で形成されてカートリッジ本体２Ａの開口２１ａ、２１ｂを開閉するシャッタ４と、カートリッジ本体２Ａに設けたＲＦＩＤタグ９とを備えるホログラム記録媒体用カートリッジ。【選択図】図３
2007095199.tif 000002
【特許請求の範囲】
【請求項１】
ディスク状の感光性記録媒体と、
前記感光性記録媒体を回転自在に収容すると共に、前記感光性記録媒体の中心と記録面とを外部に露呈させるための内側開口を設けた遮光性を有するカートリッジ本体と、
遮光性を有し、前記カートリッジ本体の前記開口を開閉するシャッタと、
前記カートリッジ本体内面で、前記シャッタの閉じ位置の領域を除く領域に設けられた非接触ＩＣタグとを備える感光性記録媒体用カートリッジ。
【請求項２】
前記シャッタの外側且つ前記内側開口と対向位置に外側開口を有して開口以外の前記シャッタの移動範囲を覆って遮光する遮光板を備え、
前記カートリッジ本体内面で、前記遮光板設置領域を除く領域のいずれかに、非接触ＩＣタグを設けた感光性記録媒体用カートリッジ。
【請求項３】
前記感光性記録媒体は、ホログラム記録媒体であることを特徴とする請求項１又は２のいずれか１項に記載の感光性記録媒体用カートリッジ。
【請求項４】
前記カートリッジ本体は、前記感光性記録媒体に対する内面と、前記シャッタに対する外面とに、表面粗さRa：５〜２０μｍのマット加工、またはシボ加工が施されていることを特徴とする請求項１〜３いずれかに記載の感光性記録媒体用カートリッジ。
【請求項５】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から４のいずれか１つに記載の感光性記録媒体用カートリッジ。
【請求項６】
前記第１シェル及び第２シェルと、シャッタは、その成形に用いられるプラスチックに遮光性物質が０．０１〜５．００重量％添加されていることを特徴とする請求項１から５のいずれか１つに記載の感光性記録媒体用カートリッジ。
【請求項７】
前記第１シェル及び第２シェルと、シャッタは、その成形に用いられるプラスチックにカーボンブラックが０．０１〜２．００重量％添加されていることを特徴とする請求項１から６のいずれか１つに記載の感光性記録媒体用カートリッジ。
【請求項８】
前記第１シェル及び第２シェルと、シャッタは、その成形に用いられるプラスチックにシリコーン系滑剤が０．１〜５．０重量％添加されていることを特徴とする請求項１から７のいずれか１つに記載の感光性記録媒体用カートリッジ。
【請求項９】
前記感光性記録媒体は、ホログラム記録媒体であることを特徴とする請求項１から８のいずれか１つに記載の感光性記録媒体用カートリッジ。
【発明の詳細な説明】
【技術分野】
【０００１】
本発明は、感光性記録媒体を内部に収容するカートリッジに係り、特に内部に収容した感光性記録媒体の記録内容などを確認できる感光性記録媒体用カートリッジに関する。
【背景技術】
【０００２】
各種の情報をディスク状の記録媒体に記録した光ディスクが各種開発されている。このような光ディスクでは、記録内容を簡単に把握できるようにするために、例えばケーシングなどの外面にメモ欄などを設けたラベルなどを貼付することがしばしば行われている。
【０００３】
従って、このメモ欄に、光ディスクでの記録内容について、例えば題名や要約、或いはインデックス、さらには識別番号（ＩＤ）などの個別情報（以下、これを「内容情報」とよぶ）を記載しておけば、光ディスクをわざわざ再生装置などで再生しなくても内容情報を簡単に確認できるので便宜である。特に、多数枚の光ディスクを取り扱う場合には、例えば所望の情報が記録された光ディスクを捜し出したり、分野ごとに整理するなどの作業を行うのに困難を伴う。
一方、この光ディスクには、重要な機密情報などを記録することもある。その場合、内容情報がラベルに文字などで記載してあると、その内容情報を使用者以外に誰でも読取ることができるので問題である。
【０００４】
そこで、多数枚の光ディスクの内容をざっと把握したり分野ごとにまとめるような作業などを簡単に行えるようにするとともに、他人が簡単に読取れないようにするため、例えば電波や誘導電磁界などを媒介として内容情報を読取るＲＦＩＤ（Radio Frequency Identification）タグを付設したものも提案されている(例えば、特許文献１参照)。
【０００５】
また、近時、ホログラムによってデータを記録するホログラム記録媒体も提案されている（例えば、特許文献２参照）。このため、このホログラム記録媒体に記録されている内容についても、ホログラム記録媒体の真正な所有者などが、簡単に内容情報を把握でき、多数枚の光ディスクの内容をざっと把握したり分野ごとにまとめるような作業などを簡単に行える一方で、第３者が容易に把握できないように機密保持を保つことができるような手段の開発が望まれている。
【特許文献１】特開２００１―３１９３８０号公報
【特許文献２】特開２００４―０２９４７６号公報
【発明の開示】
【発明が解決しようとする課題】
【０００６】
本発明は、上記事情に鑑みてなされたもので、その目的は、感光性記録媒体に関する内容情報を読取って、その感光性記録媒体に記録していた内容を簡単に把握することができる一方で、第３者には内容情報を簡単には読取れないようにして機密性を高めることができ、しかも内容情報を把握する際に感光性記録媒体が感光される虞がない感光性記録媒体用カートリッジを提供することにある。
【課題を解決するための手段】
【０００７】
本発明の上記目的は、以下の構成により達成される。
（１）ディスク状の感光性記録媒体と、前記感光性記録媒体を回転自在に収容すると共に、前記感光性記録媒体の中心と記録面とを外部に露呈させるための内側開口を設けた遮光性を有するカートリッジ本体と、遮光性を有し、前記カートリッジ本体の前記開口を開閉するシャッタと、前記カートリッジ本体内面で、前記シャッタの閉じ位置の領域を除く領域に設けられた非接触ＩＣタグとを備える感光性記録媒体用カートリッジ。
【０００８】
本発明のカートリッジは、非接触ＩＣタグが、カートリッジ本体内面の、シャッタの閉じ位置のときの領域を除く領域のいずれかに設けることが好ましい。こうすれば、シャッタが閉じ位置にあっても、ＩＣタグを読取ることができる。
【０００９】
（２）前記シャッタの外側且つ前記内側開口と対向位置に外側開口を有して開口以外の前記シャッタの移動範囲を覆って遮光する遮光板を備え、前記カートリッジ本体内面で、前記遮光板設置領域を除く領域のいずれかに、非接触ＩＣタグを設けた上記（１）記載の感光性記録媒体用カートリッジ。
【００１０】
上記カートリッジは、前記ＩＣタグが、前記感光性記録媒体に記録した内容に関する情報を保存したＲＦＩＤタグとすることができる。こうすれば、誘導電磁界又は電波を介して非接触で、ＲＦＩＤタグのメモリに保存した情報を読取ることで、感光性記録媒体に記録した内容を簡単に把握できる。
【００１１】
また、上記カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【００１２】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１３】
上記カートリッジは、第１シェル及び第２シェルと、シャッタは、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【００１４】
また、上記カートリッジは、第１シェル及び第２シェルと、シャッタは、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【００１５】
上記カートリッジは、前記感光性記録媒体としてホログラム記録媒体に適用できる。上記構成により、ホログラム記録媒体を感光させることなく、持ち運びができ、設置位置の異なる記録装置で利用可能となる。
【発明の効果】
【００１６】
本発明によれば、感光性記録媒体に関する内容情報を読取って、その感光性記録媒体に記録していた内容を簡単に把握することができる一方で、第３者には内容情報を簡単には読取れないようにして機密性を高めることができ、しかも内容情報を把握する際に感光性記録媒体が感光される虞がないカートリッジを提供できる。
【発明を実施するための最良の形態】
【００１７】
以下、本発明に係るホログラム記録媒体用のカートリッジ（以下、「カートリッジ」と略す。）の実施形態について、添付図面に基づいて詳しく説明する。
【００１８】
［第１の実施形態］
図１は、カートリッジ１Ａを一方面から見たときの外観形状を示す全体斜視図であり、図２は、図１のカートリッジ１Ａにおいてシャッタ４を開放した状態を示す全体斜視図である。図３は、カートリッジ１Ａからシャッタ４を取外した状態を示す要部斜視図である。
【００１９】
カートリッジ１Ａは、ディスク状の感光性記録媒体、本実施形態ではホログラム記録媒体（以下、「記録ディスク」という。）３を収容すると共に記録ディスク３の一部を外部に露呈させる開口を有するカートリッジ本体２Ａと、遮光性材料で形成され、カートリッジ本体２Ａの開口を開閉するシャッタ４と、カートリッジ本体２Ａの、シャッタ４の移動領域以外の所定部位に設けたＩＣタグの一種であるＲＦＩＤタグ９とを備えている。
【００２０】
このカートリッジ本体２Ａは、略板状に形成された第１シェル２ａと、第１シェル２ａに重ね合せるように接合する略板状の第２シェル２ｂとからなる。なお、第１シェル２ａと第２シェル２ｂは、後述するＲＦＩＤタグ９の読取及び書込の際に障害となる電波吸収性のある材料や電磁シールディング作用のある金属材料を避けた物質であって、しかも遮光性の材料で形成されている。本実施形態では、例えば、遮光性物質と滑剤とが添加された適宜の熱可塑性プラスチック材料などを用いて、射出成形により形成されている。
【００２１】
カートリッジ本体２Ａの第１シェル２ａ及び第２シェル２ｂには、それぞれ、ディスク収容部２０に収容した記録ディスク３の一部を外部に露呈させる略舌形状の開口２１ａ，２１ｂが貫通した状態で穿設されている。
【００２２】
カートリッジ本体２Ａの内部には、重ね合わせる第１シェル２ａと第２シェル２ｂとの間にディスク収容部２０（図４参照）が設けられている。このディスク収容部２０には、記録ディスク３が回転自在に収容されている。なお、記録ディスク３は、カートリッジ本体２Ａの内部に収容された状態で取り扱われる。
【００２３】
記録ディスク３は、中心部に穴をあけてディスク状に形成したものであり、両面（又は片面でもよい）に感光性材料からなるホログラム記録層を設けており、感光性記録媒体を構成している。ホログラム記録層には、例えば緑色５３２ｎｍ〜青色４０５ｎｍの波長域のレーザ光により、データがレーザ光の干渉縞として多層記録される。なお、記録ディスク３の穴部に補強材を付加してもよい。
【００２４】
シャッタ４は、カートリッジ本体２Ａに取り付けられており、前述のように、開口２１ａ，２１ｂを開閉する。このシャッタ４は、図２示すような矢印Ｂ方向に開き位置まで移動させることで、開口２１ａ，２１ｂが開放される。また、シャッタ４は、図１に示すよな矢印Ｃ方向に閉じ位置まで移動させることで、開口２１ａ，２１ｂが該シャッタ４によって遮蔽される。
【００２５】
そして、シャッタ４は、図示しないバネによって閉じ方向である矢印Ｃ方向に付勢されている。また、シャッタ４は、カートリッジ本体２Ａの両面に形成されたロック機構２２によって、閉じ位置でロックされている。こうして、カートリッジ１Ａは、カートリッジ本体２Ａに対する振動や衝撃等によってシャッタ４が移動し、開口２１ａ，２１ｂが不必要に開放されることを防止している。
【００２６】
ＲＦＩＤタグ９は、非常に薄くて小型のものであり、しかも電波や誘導電磁界が作用する距離内であれば設置可能である。このため、本実施形態の場合、前述しように、シャッタ４が開閉移動する領域を除くカートリッジ本体２Ａの領域のいずれかであって、具体的には、図３に示すように、第１シェル２ａのロック機構２２を設けていない一方の角隅部分近くの内面に固着されている。
【００２７】
このＲＦＩＤタグ９は、図４（ａ）に示すように、コイルで形成したアンテナ９ａと、メモリを備えたＩＣチップ９ｂとを備えており、タグライタを用いて電波（又は誘導電磁界）により非接触で保存した情報を、タグリーダで読取るように構成されている。なお、これらのアンテナ９ａ及びＩＣチップ９ｂは、絶縁性の基板に実装されているとともに、その両面を薄いフィルムで挟着（又はモールディング）させてある。
なお、本実施形態の場合、タグライタやタグリーダのアンテナなどは、記録ディスク３の記録装置又は再生装置のカートリッジスロットに臨む部位に設置してあるものを用いてあるが、別に専用のタグライタやタグリーダ（例えば、ハンディタイプのものなど）を用いてもよい。
【００２８】
アンテナ９ａは、略矩形状又は円形状で、かつ、らせん状に複数回巻装して設けており、両端部がＩＣチップ９ｂに接続されている。一方、ＩＣチップ９ｂは、図４（ｂ）に示すように、入力がアンテナ９ａに接続された受信部９１と、出力がアンテナ９ａに接続された送信部９２と、入力が受信部９１の出力に接続されるとともに、出力が送信部の入力に接続された制御部９３と、制御部９３と接続されたメモリ９４と、入力がアンテナ９ａに接続されるとともに出力が制御部９３の入力に接続された電源部９５とを備えている。
【００２９】
メモリ９４には、記録ディスク３に各種の情報を記録した後、タグライタ又はタグリーダライタを用いて、記録ディスク３に記録されている各種の情報についての内容情報、例えば題名、インデックス或いは要約、さらには識別番号（ＩＤ）などを保存してある。従って、メモリ９４に保存しておいた内容情報、つまり記録ディスク３に記録された各種の情報について題名、要約或いはインデックス、識別番号（ＩＤ）などは、タグリーダ又はタグ（リーダ）ライタにより、その後、いつでも図示外の表示部に表示させることができる。なお、本実施形態では、タグリーダ又はタグ（リーダ）ライタが記録ディスク３の記録装置又は再生装置に付設してあるので、この記録装置又は再生装置に設けてある表示部で表示させる。
【００３０】
このように構成されたカートリッジ１Ａは、記録ディスク３にデータを記録する記録装置や、記録ディスク３からデータを読み出す再生装置に設けられたカートリッジスロットに対して装填方向Ａから挿入される。カートリッジ１Ａは、記録装置又は再生装置に装填された際に、カートリッジ本体２Ａの両面に設けられた位置決め穴によって位置決めされ、シャッタ３が開き位置まで移動されて開口２１ａ，２１ｂが開放される。
【００３１】
例えば、図１に示すシャッタ３が閉じた状態で、カートリッジ１Ａが図示外の記録装置又は再生装置に装填された場合には、カートリッジ本体２Ａの下面に位置する第１シェル２ａ側の開口２１ａから記録装置又は再生装置のピックアップ部がカートリッジ本体２Ａ内に挿入され、記録ディスク３の下面のホログラム記録層に対しデータが記録又は再生される。
【００３２】
記録装置及び再生装置の内部には、何れも図示しないが、カートリッジ１Ａのロック機構２２を解除するロック解除機構と、シャッタ３を閉じ位置と開き位置との間で移動させるシャッタ開閉機構とが組み込まれている。ロック解除機構が、シャッタ３のロック機構２２を解除し、シャッタ開閉機構がシャッタ４に形成された挿入穴に駆動用のピンを挿入し、該ピンを所定の方向に駆動させ、シャッタ４を開き位置まで移動させる。こうして、図２に示すように、カートリッジ１Ａの両面の開口２１ａ，２１ｂ（両面の開口２１ｂについては、図３参照）が開放される。
【００３３】
次に、本実施形態のＲＦＩＤタグ９に保存されている内容情報を読取るときの動作について説明する。
図１に示すようにシャッタ３を閉じた状態から、この状態とは上下逆さまにして、記録装置又は再生装置に装填する。すると、図示外の記録装置又は再生装置のカートリッジスロットに臨んで付設したタグリーダ用の送受信アンテナと、これに対向する第１シェル２ａの内面に設けたＲＦＩＤタグ９のアンテナ９ａとの間で、特定周波数の電波（例えば、１３．５６ＭＨｚ）による送受信を行う。これにより、タグリーダは、ＲＦＩＤタグ９のメモリ９４に保存されている内容情報（例えば、記録ディスク３に記録されていた情報の題名、インデックス又は要約、さらには識別番号（ＩＤ）など）を読取り、記録ディスク３の記録装置又は再生装置の表示部に表示できるので、内容情報を簡単に把握できる。
【００３４】
［第２の実施形態］
次に、図５から図７を参照しながら、本発明の第２の実施形態について説明する。なお、本実施形態において、第１の実施形態と同一部分には同一符号を付して重複説明を避ける。
【００３５】
図５〜図７は、本実施形態に係るカートリッジ１Ｂの外観形状を示す斜視図、分解斜視図及び横断面図である。具体的には、図５は、カートリッジ１Ｂのシャッタ６を閉じた状態を示す斜視図、図６はカートリッジ１Ｂのシャッタ６を開いた状態を示す斜視図、図７はカートリッジ１Ｂを構成するカートリッジ本体２Ｂ、遮光板５、シャッタ６及びカートリッジ本体２Ｂ内部に収容した記録ディスク３を示す分解斜視図である。
【００３６】
本実施形態のカートリッジ１Ｂは、内部に記録ディスク３を収容するディスク収容部２０（図７参照）が設けられたカートリッジ本体２Ｂと、このカートリッジ本体２Ｂを外側から挟み込むようにして取付けられる遮光板５と、カートリッジ本体２Ｂと遮光板５との間に組み込まれるシャッタ６と、カートリッジ本体２Ｂに取付けるＲＦＩＤタグ９とを備えている。なお、このカートリッジ１Ｂも、記録ディスク３にデータを記録する記録装置や、記録ディスク３からデータを読み出す再生装置に設けられたカートリッジスロットに向けて装填方向Ａから挿入する。
【００３７】
カートリッジ１Ｂは、図示外の記録装置又は再生装置のロック解除機構でロック機構２３が解除されるとともに、記録装置又は再生装置のスライド機構（シャッタ６を閉じ位置と開き位置との間で移動させる）でシャッタ６が開き位置に移動され、開口２１ａ、２１ｂ及び後述する外部開口５３ａ、５３ｂが開放される。
【００３８】
次に、カートリッジ本体２Ｂ、遮光板５、シャッタ６について詳細に説明する。
（Ｉ）カートリッジ本体２Ｂについて
このカートリッジ本体２Ｂは、略板状に形成された第１シェル２ｃと、第１シェル２ｃに重ね合せるように接合する略板状の第２シェル２ｄとを備えている。また、第１シェル２ｃと第２シェル２ｄとの間の内部空間には、第１の実施形態と同様に、ディスク収容部２０（図４参照）が設けられている。なお、第１シェル２ｃと第２シェル２ｄは、第１の実施形態と同様に、ＲＦＩＤタグ９の読取書込の際に障害となる電波吸収性のある材料や電磁シールディング作用のある金属材料を避けた物質であって、しかも遮光性の材料、例えば、遮光性物質と滑剤とが添加された適宜の熱可塑性プラスチック材料などを用いて、射出成形により形成されている。
【００３９】
第１、第２シェル２ｃ、２ｄには、第１の実施形態と同様に、ディスク収容部２０に収容した記録ディスク３の一部を外部に露呈させるための第１の開口である略舌形状の開口２１ａ、２１ｂが貫通した状態で開口されている。
また、第１、第２シェル２ｃ、２ｄの外面には、図７に示すように、遮光板５が配置されており、この遮光板５と第１、第２シェル２ｃ、２ｄの外面との間に形成されるスライド室にシャッタ６がスライド可能な状態で配設されている。
さらに、本実施形態では、この遮光板５を設置する領域を除くカートリッジ本体２Ｂの領域の一部に、具体的には、第１シェル２ａのロック機構２２を設けていない一方の角隅部分近くの内面に、ＲＦＩＤタグ９が固着されている。
【００４０】
（ＩＩ）遮光板５について
一方、遮光板５は、図７に示すように、カートリッジ本体２Ｂの挿入面（挿入Ａ方向側の先端面）に当接する板状のガイド部５１と、カートリッジ本体２Ｂの外面との間で中空空間を形成し、この空間内にシャッタ６をスライド可能に収容するスライド室を構成する、略板状の遮光部５２ａ、５２ｂとを備えている。
【００４１】
また、遮光板５の遮光部５２ａ、５２ｂには、後述する開き位置のときに、第１の開口であるカートリッジ本体２Ｂの略舌形状の開口２１ａ、２１ｂに対向した部位に、記録ディスク３の中心と記録面とを外部に露呈させる第２の開口となる略舌形状の外部開口５３ａ、５３ｂが開口されている。この外部開口５３ａ、５３ｂは、スライド室内のシャッタ６が閉じ位置に移動して閉じられることにより、カートリッジ本体２Ｂのディスク収容部２０が遮光及び防塵されるため、記録ディスク３は、感光されることなく、かつ清浄な状態に保持できる。
【００４２】
遮光板５は、遮光性のある適宜に金属材料で形成されているが、特にこれに限定されない。例えば、ＲＦＩＤタグ９の読取書込の際に障害となる電波吸収性のある材料や電磁シールディング作用のある金属材料を避けた物質であって、しかも遮光性を有する材料、換言すれば、遮光性、耐食性、装飾性、加工性を得ることができ、かつ軽量で強度のある材料として、適宜のプラスチック材料などでもよい。その場合、この遮光板５も、シャッタ６に対する良好な滑り性を確保するために、滑剤が添加されたものを用いるとよい。
【００４３】
（ＩＩＩ）シャッタ６について
シャッタ６は、第１シェル２ｃの開口２１ａ及び遮光板５の外部開口５３ａと同じかそれよりも大きな外形を有するとともに、遮光性を有するシャッタ部６１ａ、６１ｂと、このシャッタ部６１ａ、６１ｂの一面（図７では上端部）に取付けられる薄板状のスライド部６２とを、遮光板５のスライド室内に移動可能に設置している。また、このシャッタ６には、読取装置や再生装置に備えたスライド機構によりシャッタ６をスライドさせるときに連結させる連結部材６３と、シャッタバネ６４を備えている。
【００４４】
このシャッタ６は、カートリッジ本体２Ｂの第１の開口である開口２１ａを閉じる「閉じ位置」と開口２１ａを開放する「開き位置」との間でスライド可能に配設されており、内蔵するシャッタバネ６４によって閉じ位置に常時付勢され、かつカートリッジ本体２Ｂのロック機構２３によって閉じ位置でロックされている。このため、シャッタ６が不用意に開放されることはない。
【００４５】
なお、このシャッタ６も、遮光性のある金属材料で形成されている。また、シャッタ６には、遮光板５と同様の理由により、ＲＦＩＤタグ９の読取書込の際に障害となる電波吸収性のある材料や電磁シールディング作用のある金属材料を避けた物質であって、しかも遮光性を有する材料、換言すれば、遮光性、耐食性、装飾性、加工性を得ることができ、かつ軽量で強度のある材料として、例えば適宜のプラスチック材料を用いてもよい。その場合、このシャッタ６は、遮光板５及びカートリッジ本体２Ｂに対する良好な滑り性を確保するために、滑剤が添加されたものを用いるとよい。
【００４６】
連結部材６３は、略細幅板状の形状を有しており、一端部にスライド部６２が連結されている。また、この連結部材６２は、他端部が図示外の記録装置又は再生装置に設けたスライド機構と連結可能に構成されている。このため、連結部材６３は、記録装置又は再生装置に設けたロック解除機構により、カートリッジ本体２Ｂのロック機構２３が解除された後、スライド機構の駆動力によって、シャッタバネ６４のバネ力に抗して開き方向Ｂに押動されスライドする。これにより、シャッタ６のシャッタ部６１ａ、６１ｂは、連結部材６３に連結されたスライド部６２を介して、遮光板５のスライド室内を開き位置まで移動できる。
【００４７】
なお、連結部材６３には、長手方向に沿って図示しない溝が形成されている。この溝には、第１シェル２ｃ及び第２シェル２ｄの装填方向先端側の内面に設けられた突条が挿入される。この溝と突条により、連結部材６３がカートリッジ本体２Ｂから外れることがなく、スライド移動できる。
【００４８】
シャッタバネ６４は、その弾性力によりシャッタ６を常時閉じ方向Ｃに付勢している。このシャッタバネ６４は、トーションバネ（コイルばねや略Ｖ字形の薄い板ばねなどでもよい）からなり、その両端は、第１シェル２ｃの内面と連結部材６３（又はシャッタ６）とに取付けられている。これにより、シャッタ６は、普段、読取りや記録しないときには、シャッタバネ６４の弾性力により、常時閉じ位置に配置している。
【００４９】
次に、本実施形態のＲＦＩＤタグ９に保存されている内容情報を読取るときの動作について説明する。
図５に示すようにシャッタ３を閉じた状態から、この状態とは上下逆さまにして、記録装置又は再生装置に装填する。すると、図示外の記録装置又は再生装置のカートリッジスロットに臨んで付設したタグリーダ用の送受信アンテナと、これに対向する第１シェル２ｃの内面に設けたＲＦＩＤタグ９のアンテナ９ａとの間で、特定周波数の電波（例えば、１３．５６ＭＨｚ）による送受信を行う。これにより、タグリーダは、ＲＦＩＤタグ９のメモリ９４に保存されていた内容情報（例えば、記録ディスク３に記録されている情報についての題名やインデックス又は要約、さらには識別番号（ＩＤ）など）を読取り、記録ディスク３の記録装置又は再生装置の表示部に表示できるので、内容情報を簡単に読取ることができる。
【００５０】
なお、本発明は、前述した実施形態に限定されるものではなく、適宜な変形、改良などが可能である。また、いずれの実施形態でも、ホログラム記録媒体を収容するカートリッジを例に説明したが、本発明は、その他の感光性を有する記録媒体を収容するカ一トリッジにも適用することができる。
【００５１】
本発明のカートリッジは、使用者などが、ＩＣタグに保存してある内容情報を、ハンディタイプのタグリーダなどを用いて簡単に読取ることができる一方、第３者にはタグリーダなどがない限りその内容情報を読取ることができないので、使用者は感光性記録媒体に記録されている内容を素早く把握することができるばかりか、第３者が感光性記録媒体に記録した内容を把握するのを防ぐことができる効果を有し、機密性の高いカートリッジ等として有用である。
【実施例】
【００５２】
次に、本発明の実施例について説明する。
上側シェル及び下側シェルの成形に用いる熱可塑性プラスチックには、PBT、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００５３】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００５４】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００５５】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００５６】
遮光性物質としてカーボンブラックを使用する場合には、その添加量を０．０１〜２．００重量％とするのが好ましい。上述したように、遮光性及び物理強度のバランスがよいプラスチックを得るためである。
【００５７】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００５８】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００５９】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００６０】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００６１】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００６２】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００６３】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【図面の簡単な説明】
【００６４】
【図１】本発明の第１の実施形態に係るカートリッジの外観形状を示す斜視図である。
【図２】そのカートリッジのシャッタ開放状態を示す外観斜視図である。
【図３】そのカートリッジの構成を示す分解斜視図である。
【図４】そのカートリッジに取付けるＲＦＩＤタグを示すものであり（ａ）は平面図、（ｂ）は構成ブロック図である。
【図５】本発明の第２の実施形態に係るカートリッジの外観形状を示す斜視図である。
【図６】そのカートリッジのシャッタ開放状態を示す外観斜視図である。
【図７】そのカートリッジの構成を示す分解斜視図である。
【符号の説明】
【００６５】
１Ａ、１Ｂ  カートリッジ
２Ａ、２Ｂ  カートリッジ本体
２ａ、２ｃ  第１シェル
２ｂ、２ｄ  第２シェル
２０  ディスク収容部
２１ａ、２１ｂ  開口
３  ホログラム記録媒体（記録ディスク）
４  シャッタ
５  遮光板
５３ａ、５３ｂ  外部開口
６  シャッタ
９  ＲＦＩＤタグ（ＩＣタグ）
９ａ  アンテナ
９ｂ  ＩＣチップ
９３  制御部
９４  メモリ
Ａ  挿入方向
Ｂ  開き方向
Ｃ  閉じ方向
【図１】
2007095199.tif 000003
【図２】
2007095199.tif 000004
【図３】
2007095199.tif 000005
【図４】
2007095199.tif 000006
【図５】
2007095199.tif 000007
【図６】
2007095199.tif 000008
【図７】
2007095199.tif 000009